(57)【要約】【課題】雌部材の内部に異物が入り込むことを抑えることが可能なバックルを提供する。【解決手段】可撓性を有した一対のアーム２２を有する雄部材２と、一対のアーム２２が挿入される挿入口３Ｐと、挿入された一対のアーム２２における膨頭部２２Ｈが嵌挿される一対の開口部ＳＨが形成された筒側面とを有する扁平筒状に形成される雌部材３とを備えるバックル１であって、雄部材２と雌部材３とが連結する状態で、嵌挿された膨頭部２２Ｈが開口部ＳＨを塞ぎ、且つ雌部材３の外側でアーム孔２４の内周面と筒側面とが繋がるように一対のアーム２２が形成され、アーム孔２４の内周面が平面視にて筒側面の形状に倣う形状である。【選択図】図１
2011254927.tif 000002
【特許請求の範囲】
【請求項１】
可撓性を有した一対のアームの各々における先端に膨頭部が設けられ、該膨頭部の各々には、前記一対のアームが含まれる平面に対向する平面視方向に貫通するアーム孔と被係止部とが設けられる雄部材と、
前記一対のアームが挿入される筒端と、前記挿入された前記一対のアームにおける前記膨頭部が嵌挿される一対の開口部が形成された筒側面とを有する扁平筒状に形成され、前記被係止部と係合して前記雄部材の移動を係止する係止部を有する雌部材と
を備えるバックルであって、
前記被係止部と前記係止部とが係合する状態で、前記嵌挿された前記膨頭部が前記開口部を塞ぎ、且つ前記雌部材の外側で前記アーム孔の内周面と前記筒側面とが繋がるように前記一対のアームが形成され、前記アーム孔の内周面が前記平面視にて前記筒側面の形状に倣う形状である
ことを特徴とするバックル。
【請求項２】
前記筒側面は、前記一対のアームが挿入される方向における中央部が前記平面視にて括れた形状に形成されるとともに、該括れた部分を含むように前記開口部が形成され、
前記膨頭部は、前記平面視にて前記括れた部分を覆う形状に形成されている
ことを特徴とする請求項１に記載のバックル。
【請求項３】
前記開口部及び前記膨頭部が、前記一対のアームが含まれる平面に対して面対称である
ことを特徴とする請求項１または２に記載のバックル。
【請求項４】
前記被係止部は、前記一対のアームの各々が内側に撓むことによって前記係止部との係合を解除するものであり、
前記雌部材の外側に露出した前記膨頭部のうち、前記平面視にて最も外側に突出する押圧部分が、前記括れた部分における前記先端寄りに形成されている
ことを特徴とする請求項２または３に記載のバックル。
【請求項５】
前記アーム孔の内周面は、前記平面視にて前記筒側面の形状に倣う部分と、前記平面視にて前記雌部材の外側に露出した前記膨頭部の外側面の形状に倣う部分とから構成されている
ことを特徴とする請求項１〜４のいずれか一項に記載のバックル。
【発明の詳細な説明】
【技術分野】
【０００１】
本発明は、雄部材に雌部材が着脱自在に連結するバックルに関する。
【背景技術】
【０００２】
従来から、例えば特許文献１に記載のように、雄部材と雌部材とから構成されるバックルが知られている。
雄部材には、先端に膨頭部を有した互いに面対称な形状である左右一対のアームが基部から延びるように形成され、左右一対のアームの各々における膨頭部には、該一対のアームが含まれる平面に対向する平面視方向に貫通したアーム孔とロックピースとが形成されている。また雌部材には、左右一対のアームが挿入される挿入口を有した扁平筒状の収容部が、上記ロックピースが内部に収容されるように形成されている。また収容部の外壁を構成する左右一対の側壁の各々には、上記アームの挿入方向に延びる開口部が形成されている。そして雄部材と雌部材とが連結した状態では、各膨頭部の先端が収容部の内部に収容されるとともに、収容体から開口部を通してアーム孔の一部が露出するようになっている。
【先行技術文献】
【特許文献】
【０００３】
【特許文献１】特開２００９−６１０５０号公報
【発明の概要】
【発明が解決しようとする課題】
【０００４】
ところで、上記特許文献１に記載のバックルにあっては上述のように、一対のアームの各々における膨頭部にアーム孔が形成されるため、膨頭部を樹脂成型する際にひけが発生することを抑えることができる。一方、特許文献１に記載のバックルにあっては、雄部材と雌部材とが連結した状態で、挿入口が雄部材によって閉ざされるようになっている。このため、収容部が有する開口から収容部の内部に異物が入り込んだ場合には、収容部の内部に入り込んだ異物が雄部材の挿入や脱離に対して障害物になるおそれがある。特に、上述したような開口部を雌部材が有し、且つ開口部を通してアーム孔の一部が露出する構成では、このような開口部を有しない構成と比較して、アーム孔及び開口部を通して収容部の内部に異物が入り込みやすくなる。
【０００５】
本発明は、こうした実情に鑑みてなされたものであり、雌部材の内部に異物が入り込むことを抑えることが可能なバックルを提供することを目的とする。
【課題を解決するための手段】
【０００６】
こうした目的を達成するため、請求項１に記載の発明は、可撓性を有した一対のアームの各々における先端に膨頭部が設けられ、該膨頭部の各々には、前記一対のアームが含まれる平面に対向する平面視方向に貫通するアーム孔と被係止部とが設けられる雄部材と、前記一対のアームが挿入される筒端と、前記挿入された前記一対のアームにおける前記膨頭部が嵌挿される一対の開口部が形成された筒側面とを有する扁平筒状に形成され、前記被係止部と係合して前記雄部材の移動を係止する係止部を有する雌部材とを備えるバックルであって、前記被係止部と前記係止部とが係合する状態で、前記嵌挿された前記膨頭部が前記開口部を塞ぎ、且つ前記雌部材の外側で前記アーム孔の内周面と前記筒側面とが繋がるように前記一対のアームが形成され、前記アーム孔の内周面が前記平面視にて前記筒側面の形状に倣う形状であることを要旨とする。
【０００７】
請求項１に記載の発明によれば、被係止部と係止部とが係合する状態で、雌部材に形成された開口部が膨頭部によって塞がれるとともに、雌部材の外側で筒側面に繋がるアーム孔の内周面が平面視にて筒側面の形状に倣う形状に形成されている。それゆえに、雄部材と雌部材とが連結された状態では、雌部材の内部に開口部から異物が入り込むことを膨頭部によって抑えることが可能である。さらにアーム孔の一部があたかも雌部材の一部であるかのような外観を形成することが可能である。
【０００８】
また、筒側面の形状に倣う形状に形成された内周面をアーム孔が有するため、雌部材に対して如何なる方向に雄部材がずれるとしても、アーム孔が雌部材の内部に向けて位置ずれする度合いは、概ね雄部材が位置ずれする度合いと同程度のものとなる。このような雄部材の位置ずれ量とは、通常、所定の範囲に抑えられることから、アーム孔の位置ずれ量も、自ずと所定の範囲に抑えられることとなる。ここで、アーム孔の内周面が筒側面に倣わない形状に形成されると、該アーム孔の内周面と雌部材の内部との距離が該内周面の各部位で互いに異なることになる。その結果、アーム孔の内周面と雌部材の内部との距離が相対的に短い方向へ雄部材が位置ずれすると、アーム孔を介して雌部材の内部と外部とが連通することとなる。一方、上述したようにアーム孔の内周面が筒側面に倣う形状に形成されるとなれば、該アーム孔の内周面と雌部材の内部との距離が該内周面の各部位で等しくなる。その結果、雄部材が位置ずれする方向に関わらず、雌部材の内部に異物が入り込むことを抑えることが可能となる。
【０００９】
請求項２に記載の発明は、請求項１に記載の発明において、前記筒側面は、前記一対のアームが挿入される方向における中央部が前記平面視にて括れた形状に形成されるとともに、該括れた部分を含むように前記開口部が形成され、前記膨頭部は、前記平面視にて前記括れた部分を覆う形状に形成されていることを要旨とする。
【００１０】
雌部材の外側に張り出すような筒周面に上述した開口部が形成されるとなると、開口部そのものの形状が雌部材の外側に張り出すような形状になるため、このような開口部を介して雌部材の内部に異物が入り込みやすくなる。この点、請求項２に記載の発明によれば、雌部材における括れた部分に開口部が形成されるため、雌部材の外側に張り出すような側面に開口部が形成される構成と比較して、開口部を通して異物が入り込むことそれ自体を抑えることが可能である。そのうえ雌部材における括れた部分が膨頭部によって覆われることになるため、バックルの機能的な一体感に基づく美観をさらに醸成することが可能となる。
【００１１】
請求項３に記載の発明は、請求項１または２に記載の発明において、前記開口部及び前記膨頭部が、前記一対のアームが含まれる平面に対して面対称であることを要旨とする。
一対のアームが含まれる平面に対して非対称な開口部が形成される場合には、該開口部を塞ぐ膨頭部の形状も自ずと同平面に対して非対称な形状となる。このような構成では、一対の膨頭部の各々の嵌挿先が一対の開口部のいずれか一方に限られるものとなってしまう。つまり、雄部材における右側と左側とを反転させた状態で該雄部材と雌部材と連結させることが不可能となってしまう。この点、請求項３に記載の発明によれば、一対の開口部の各々が、一対のアームが含まれる平面に対して面対称であるため、雄部材における右側と左側とを反転させた状態で該雄部材と雌部材と連結させることが可能である。このため、バックルの機能的な一体感に基づく美観を醸成すること、バックルの側面からの異物侵入を回避させること、それらに加えて雄部材と雌部材との連結の態様を多様化することが可能となる。
【００１２】
請求項４に記載の発明は、請求項２または３に記載の発明において、前記被係止部は、前記一対のアームの各々が内側に撓むことによって前記係止部との係合を解除するものであり、前記雌部材の外側に露出した前記膨頭部のうち、前記平面視にて最も外側に突出す
る押圧部分が、前記括れた部分における前記先端寄りに形成されていることを要旨とする。
【００１３】
請求項４に記載のバックルによれば、括れた部分における先端寄りに配置された押圧部分が内側へ押圧されることによって、被係止部と係止部との係合が解除される。この際、括られた部分における先端寄りに押圧部分が形成されているため、バックルを利用する利用者の指も自ずと括れた部における先端寄りに誘導されることとなる。そして、このような部位に形成された押圧部分を押圧することになれば、膨頭部を雌部材の内部に押圧する力だけでなく、アームそのものを挿入口から押し出す方向への力が雄部材に加えられることとなる。そのため、雄部材を雌部材から離脱させる時の操作性をさらに向上させることが可能となる。
【００１４】
請求項５に記載の発明は、請求項１〜４のいずれか一項に記載の発明において、前記アーム孔の内周面は、前記平面視にて前記筒側面の形状に倣う部分と、前記平面視にて前記雌部材の外側に露出した前記膨頭部の外側面の形状に倣う部分とから構成されていることを要旨とする。
【００１５】
請求項５に記載のバックルによれば、アーム孔の内周面が筒側面の形状に倣う形状のみからなる構成と比較して、アーム孔のサイズを大きく形成することが可能となる。そのため、バックルの軽量化を図ること、加えてバックルの製造に使用する材料の量が削減することが可能であるため、コストダウンを図ることが可能ともなる。
【図面の簡単な説明】
【００１６】
【図１】本発明に係るバックルの一実施の形態について、その表側から見たバックルの斜視構造を示す斜視図。
【図２】同実施の形態に係るバックルの裏側から見た斜視構造を示す斜視図。
【図３】同実施の形態に係る雄部材の表側から見た斜視構造を示す斜視図。
【図４】同実施の形態に係る雄部材の裏側から見た斜視構造を示す斜視図。
【図５】同実施の形態に係る雌部材の表側から見た斜視構造を示す斜視図。
【図６】同実施の形態に係る雌部材の裏側から見た斜視構造を示す斜視図。
【図７】（ａ）は同実施の形態に係るバックルの表側から見た平面視構造を示す平面図、（ｂ）は同実施の形態に係るバックルの裏側から見た平面視構造を示す平面図。
【発明を実施するための形態】
【００１７】
以下、本発明に係るバックルの一実施の形態について図を参照して説明する。まず、バックル１の全体構造について図１及び図２を参照して説明する。バックル１の雄部材２における基部２１には、可撓性を有した一対のアーム２２が該基部２１から延びるように形成されている。またバックル１の雌部材３は、扁平した筒状に形成され、扁平方向に広がる互いに対向した表壁３１と裏壁３２とを有している。この雌部材３における一方の筒端（図１及び図２における右側の筒端）には、一対のアーム２２が挿入される挿入口３Ｐが形成され、また他方の筒端には、挿入口３Ｐに対向した開放口３Ｄが形成されている。以下、挿入口３Ｐから開放口３Ｄに向けた方向を挿入方向とし、一対のアーム２２が並ぶ方向を左右方向する。またバックル１における表壁３１側を表側とし、バックル１における裏壁３２側を裏側とする。
【００１８】
図３及び図４に示されるように、雄部材２が有する左右一対のアーム２２の各々は、該一対のアーム２２が含まれる平面と対向する平面視において、先端寄りに膨大する膨頭部２２Ｈが先端に形成されている。また右側のアーム２２の膨頭部２２Ｈにおける右側外側面、及び左側のアーム２２の膨頭部２２Ｈにおける左側外側面は、同じく一対のアーム２２が含まれる平面と対向する平面視において、その挿入方向における中間部分である押圧
部分２２Ｓが左右方向の外側に張り出すように湾曲した形状に形成されている。
【００１９】
一対のアーム２２における膨頭部２２Ｈの先端寄りには、それぞれ被係止部２３が形成されている。被係止部２３は、アーム２２の表面に突設された一対の表側凸部２３Ｆと、アーム２２の裏面に突設された裏側凸部２３Ｂとによって構成されている。さらに一対の膨頭部２２Ｈの各々には、断面が菱形状を成してアーム２２が延びる方向（上記挿入方向）に延びるアーム孔２４が該膨頭部２２Ｈの表側から裏側までを貫通するように形成されている。一対のアーム孔２４の各々の内周面は、上記平面視において、該アーム孔２４を有した膨頭部２２Ｈの外側面の形状に倣う形状に形成されている。そして一対のアーム２２が含まれる平面に対して面対称となるように、すなわち表側から見た一対のアーム２２の構造と裏側から見た一対のアーム２２の構造とが同一となるように、雄部材２は形成されている。なお、上述したような断面菱形状のアーム孔２４が一対のアーム２２の各々に設けられているため、アーム２２の強度が確保されつつ、雄部材２が例えば樹脂成型によって形成される際には、ひけが発生してしまうことを回避することが可能である。
【００２０】
ちなみに、アーム２２の基端寄りにおける表面及び裏面には、それぞれ基端位置決めリブ２７が配設され、またアーム２２の先端寄りにおける表面及び裏面には、それぞれ先端位置決めリブ２８が配設されている。このような位置決めリブが形成された構成では、雌部材３に雄部材２が連結される際に、一対のアーム２２の外表面と雌部材３の内表面との距離が、基端位置決めリブ２７及び先端位置決めリブ２８が形成された部位、すなわち一対のアーム２２における基端と先端とにおいて特に短くなる。そのため、雌部材３に雄部材２が連結された状態では、バックル１の厚み方向において、雌部材３に対する雄部材２の位置ずれ（がたつき）を抑えることが可能である。
【００２１】
一対の膨頭部２２Ｈにおいて互いに対向する内側面には、一対の膨頭部２２Ｈを互いに繋ぐ可撓性を有した帯状のブリッジ２５が、被係止部２３よりも基端寄りに形成されている。このブリッジ２５における両端部２５ａの各々は、一方の膨頭部２２Ｈから他方の膨頭部２２Ｈに向けて延びるように形成されている。詳述すると、一方の膨頭部２２Ｈに接続されるブリッジ２５の端部２５ａは、該膨頭部２２Ｈに外力が加えられていない状態（図３及び図４に示される状態）で、該アーム２２の基端を中心として膨頭部２２Ｈとブリッジ２５との接続部が描く円弧Ｃの接線方向と一致するように形成されている。またブリッジ２５における中間部２５ｂは、一方のアーム２２と他方のアーム２２との中間において基部２１に向けて凸状に湾曲するように形成されている。このため、一対のアーム２２に対する過度の外力が該一対の膨頭部２２Ｈの間隔を広げる方向に作用する場合であっても、一対の膨頭部２２Ｈの各々とブリッジ２５との接続部にはせん断力が発生し難くなる。なお、基部２１に対してアーム２２とは反対側には、バックル１によって締結されるベルトがその長さを可変にするように保持されるベルト保持部２６が架設されている。
【００２２】
図５及び図６に示されるように、雌部材３における表壁３１は、表側から見て、内側に向けて張り出すように湾曲した四つの縁によって囲まれるＸ字状に形成されている。また雌部材３における裏壁３２は、裏側から見て、内側に向けて張り出すように湾曲した四つの縁によって囲まれるＸ字状に形成されている。これら雌部材３を構成する表壁３１の四隅と裏壁３２の四隅においては、挿入口３Ｐ寄りの一対の挿入側連結壁ＷＰと開放口寄りの一対の開放側連結壁ＷＤとによって表壁３１と裏壁３２とが互いに連結されている。そして雌部材３における挿入方向の中央部には、上記平面視方向において括れた括れ部３１Ｃが表壁３１、裏壁３２、一対の挿入側連結壁ＷＰ、及び一対の開放側連結壁ＷＤによって構成されている。なお、これら表壁３１、裏壁３２、一対の挿入側連結壁ＷＰ、及び一対の開放側連結壁ＷＤの各々の外表面によって雌部材３の筒側面が構成されている。
【００２３】
一対の挿入側連結壁ＷＰにおける内側面には、雌部材３に雄部材２が連結された状態で
一対のアーム２２の基端における外側面と整合するようなガイド面ＷＰａが形成されている。そして雌部材３の挿入方向における一方の筒端には、挿入方向と平行な方向から見て矩形状の挿入口３Ｐが、上記表壁３１、裏壁３２、及び挿入側連結壁ＷＰによってその四辺を縁取られるかたちに形成されている。また雌部材３の挿入方向における他方の筒端には、挿入方向と平行な方向から見て矩形状の開放口３Ｄが、上記表壁３１、裏壁３２、及び開放側連結壁ＷＤによってその四辺を縁取られるかたちに形成されている。
【００２４】
雌部材３が有する挿入口３Ｐの開口縁には、表壁３１において挿入口３Ｐ寄りの縁である表側挿入縁３１ｐと、裏壁３２において挿入口３Ｐ寄りの縁である裏側挿入縁３２ｐとが含まれている。
【００２５】
これら表側挿入縁３１ｐ及び裏側挿入縁３２ｐは、それぞれ開放口３Ｄに向けて張り出すように湾曲した形状に形成されて、表壁３１の外表面及び裏壁３２の外表面と対向する平面視において互いに重なるように形成されている。また表壁３１の外表面及び裏壁３２の外表面と対向する平面視においては、表側挿入縁３１ｐ及び表側開口縁３１ｄが一対のアーム２２の外形に倣うように、表壁３１及び裏壁３２の外形が形成されている。
【００２６】
そして雌部材３に雄部材２が連結された状態では、上記一対のアーム２２が含まれる平面に対して面対称となるように、挿入口３Ｐが形成されている。また雌部材３に雄部材２が連結された状態では、表壁３１の外表面と対向する平面視において、表壁３１によって構成される挿入口３Ｐの縁から上記一対のアーム２２が露出しないように、表壁３１が形成されている。また雌部材３に雄部材２が連結された状態では、裏壁３２の外表面と対向する平面視において、裏壁３２によって構成される挿入口３Ｐの縁から上記一対のアーム２２が露出しないように、裏壁３２が形成されている（図１及び図２参照）。
【００２７】
このような構成によれば、雌部材３に雄部材２が連結された状態において、雄部材２と雌部材３との機能的な一体感に基づく美観が高められる。また、このような構成からなる挿入口３Ｐによれば、雌部材３における挿入口３Ｐと一対のアーム２２における先端部とが互いに面対称であるため、雌部材３に雄部材２が連結される際に、一対のアーム２２が挿入口３Ｐに挿入されやすくなる。
【００２８】
一方、雌部材３が有する開放口３Ｄの開口縁には、表壁３１において開放口３Ｄ寄りの縁である表側開口縁３１ｄと、裏壁３２において開放口３Ｄ寄りの縁である裏側開口縁３２ｄとが含まれている。そして雌部材３に雄部材２が連結された状態では、上記一対のアーム２２が含まれる平面に対して非対称となるように、開放口３Ｄが形成されている。
【００２９】
詳述すると、上記表側開口縁３１ｄは、挿入口３Ｐに向けて張り出すように湾曲した形状に形成されている。また表壁３１の外表面と対向する平面視においては、表側挿入縁３１ｐ及び表側開口縁３１ｄが一対のアーム２２の外形に倣うように、表壁３１の外形が形成されている。そして雌部材３に雄部材２が連結された状態では、表壁３１の外表面と対向する平面視において、表壁３１によって構成される開放口３Ｄの縁から上記一対のアーム２２が露出しないように、表壁３１が形成されている（図１及び図２参照）。このような構成によれば、上記挿入口３Ｐと同じく、雌部材３に雄部材２が連結された状態において、雄部材２と雌部材３との機能的な一体感に基づく美観が高められる。
【００３０】
また裏側開口縁３２ｄも、上記表側開口縁３１ｄと同じく、挿入口３Ｐに向けて張り出すように湾曲した形状に形成されている。しかも裏側開口縁３２ｄは、裏壁３２の外表面と対向する平面視において、上記表側開口縁３１ｄよりも挿入口３Ｐに向けてさらに窪んだ係止縁３２Ｓを有している。この係止縁３２Ｓは、裏壁３２の外表面と対向する平面視において、挿入口３Ｐに最も近い縁であって左右方向に延びる底縁と、該底縁における左
右方向の両端から挿入方向に延びる一対の側縁とから構成されている。そして雌部材３に雄部材２が連結された状態では、裏壁３２の外表面と対向する平面視において、上記係止縁３２Ｓが形成される分、裏壁３２によって構成される開放口３Ｄの縁から上記一対のアーム２２が露出するようになる。
【００３１】
なお、雌部材３に雄部材２が連結された状態では、上記係止縁３２Ｓを構成する底縁及び側縁と上記一対の裏側凸部２３Ｂとが当接し、且つ上記一対の裏側凸部２３Ｂのみが係止縁３２Ｓから露出する形状に裏壁３２は形成されている（図１及び図２参照）。そして雌部材３に雄部材２が連結される状態では、上記一対のアーム２２が有する裏側凸部２３Ｂが係止縁３２Ｓの底縁及び側縁に当接して、該裏側凸部２３Ｂが挿入口３Ｐ側へ移動し難くなる。このような構成によれば、開放口３Ｄの一部が裏側凸部２３Ｂに対する係止部として機能することになるため、このような係止部が別途形成される構成と比較して、雌部材３の構成をより簡便なものとすることが可能である。
【００３２】
また係止縁３２Ｓにおける裏壁３２の厚さは、裏側凸部２３Ｂの厚さよりも大きくなるように形成されている。このような構成によれば、裏側凸部２３Ｂと係止縁３２Ｓとが係合する状態で、該裏側凸部２３Ｂが裏壁３２の外表面から突出しなくなる。そのため、一対のアーム２２に形成された裏側凸部２３Ｂと裏壁３２に形成された係止縁３２Ｓとの係合が外部からの干渉を受け難くなる。その結果、予期せぬ原因によって雄部材２と雌部材３との連結が解除されることを抑えることが可能である。
【００３３】
表壁３１における内表面には、図６に示されるように、挿入方向に延びる表側案内溝３６が形成されている。表側案内溝３６は、表側挿入縁３１ｐから開放口３Ｄに向けて溝幅が一定の割合で狭くなるように形成された表側挿入溝３６ａと、上記表側挿入溝３６ａの開放口３Ｄ側に拡開された係止溝３６Ｓとを有している。この係止溝３６Ｓを構成する溝側壁は、裏壁３２の外表面と対向する平面視において、上述した係止縁３２Ｓと重なるように形成されている。そして雄部材２が雌部材３に挿入される際には、上記一対のアーム２２が有する表側凸部２３Ｆが、表側挿入溝３６ａの溝側壁に摺接して係止溝３６Ｓまで案内される。そして雌部材３に雄部材２が連結される状態では、上記一対のアーム２２の表側凸部２３Ｆが係止溝３６Ｓの溝側壁に当接して、該表側凸部２３Ｆが挿入口３Ｐ側へ移動し難くなる。
【００３４】
さらに雌部材３における筒側面には、上記挿入方向と直交する左右方向において互いに対向する一対の開口部ＳＨが形成されている。一対の開口部ＳＨは、上述した括れ部３１Ｃを含むように形成され、また左右方向と平行な方向から見て、表壁３１、裏壁３２、挿入側連結壁ＷＰ、及び開放側連結壁ＷＤによって四辺を縁取られた矩形状に形成されている。また一対の開口部ＳＨは、一対のアーム２２が含まれる上記平面に対して面対称となる形状に形成されている。そして一対のアーム２２が雌部材３の内部へ挿入されると、一対のアーム２２における膨頭部２２Ｈが、雌部材３の内部からこれら一対の開口部ＳＨに嵌挿される。なお、一対の開口部ＳＨの各々は、該開口部ＳＨに膨頭部２２Ｈが嵌挿された状態で、該膨頭部２２Ｈによって開口部ＳＨが塞がれる形状に形成されている。
【００３５】
また裏壁３２における内表面には、図５に示されるように、挿入方向に延びる裏側案内溝３７が形成されている。裏側案内溝３７は、裏側挿入縁３２ｐから係止縁３２Ｓまで溝幅が狭くなるように形成されている。この裏側案内溝３７を構成する溝側壁は、裏壁３２の外表面と対向する平面視において、上述した表側挿入溝３６ａと重なるように形成されている。そして雄部材２が雌部材３に挿入される際には、上記一対のアーム２２が有する裏側凸部２３Ｂが、裏側案内溝３７の溝側壁に摺接して係止縁３２Ｓまで案内される。
【００３６】
また雌部材３の内部には、上記表側案内溝３６における左右方向の中央と上記裏側案内
溝３７における左右方向の中央とを連結する仕切板３８が挿入方向に延びるように形成されている。このような構成からなる仕切板３８が形成されることによって、雌部材３における表壁３１が撓んだり裏壁３２が撓んだりすることが抑えられるようになっている。また雌部材３における挿入方向の端部には、バックル１によって締結されるベルトがその長さを変更不可能なように取り付けられるベルト取り付け部３９が設けられている。このベルト取り付け部３９には、バックル１の軽量化を図るべく、３個の有底穴が設けられている。
【００３７】
そして図７（ａ）（ｂ）に示されるように、一対のアーム２２が挿入口３Ｐから挿入方向に挿入されると、まずアーム２２の外側面がガイド面ＷＰａに摺接しつつ、一対のアーム２２の先端が雌部材３の内部に進入する。次いでアーム２２の表面に突設された一対の表側凸部２３Ｆが表側挿入溝３６ａに沿って係止溝３６Ｓまで案内される。またアーム２２の裏面に突設された一対の裏側凸部２３Ｂが裏側案内溝３７に沿って開放口３Ｄまで案内される。
【００３８】
この際、一対のアーム２２の各々における外側面は、押圧部分２２Ｓにおいて左右方向の外側に張り出すような形状に形成されている。そして一対の挿入側連結壁ＷＰにおけるガイド面ＷＰａは、一対のアーム２２の基端における外側面と整合する形状に形成されている。そのため、一対のアーム２２が雌部材３に挿入されると、一対のアーム２２の各々における外側面がガイド面ＷＰａよりも外側に張り出す分、アーム２２の外側面がガイド面ＷＰａによって左右方向の中央寄りに押されることとなる。その結果、押圧部分２２Ｓがガイド面ＷＰａに位置するときに、一対のアーム２２が左右方向の中央寄りに最も大きく撓むようになる。そして押圧部分２２Ｓがガイド面ＷＰａを通過して開口部ＳＨから雌部材３の外側に出ると、アーム２２の外側面に対するガイド面ＷＰａの押込みが解除されて、一対のアーム２２における撓みが表側挿入溝３６ａ及び裏側案内溝３７の案内に従うものとなる。なお、表側挿入溝３６ａ及び裏側案内溝３７の溝幅は、挿入口３Ｐから開放口３Ｄに向けて一定の割合で狭くなるように形成されている。そのため、上記表側挿入溝３６ａ及び裏側案内溝３７の案内に従って一対のアーム２２が挿入されると、一対のアーム２２は左右方向の中央寄りに一定の割合で撓みながら雌部材３の内部へ進入するようになる。このような構成によれば、押圧部分２２Ｓがガイド面ＷＰａを通過する際にアーム２２に対する外力が一旦増えることになるため、押圧部分２２Ｓとガイド面ＷＰａとの係合によって、一対のアーム２２を雌部材３に仮止めすることが可能である。
【００３９】
そして一対のアーム２２が雌部材３に挿入され続けると、表側凸部２３Ｆが係止溝３６Ｓに到達し、裏側凸部２３Ｂが開放口３Ｄに到達する。すると、係止溝３６Ｓが表側挿入溝３６ａから拡開されているため、また係止縁３２Ｓが裏側案内溝３７から拡開されているため、左右方向の中央寄りに撓んでいた一対のアーム２２が、これら係止溝３６Ｓの形状及び係止縁３２Ｓの形状に従って互いに左右方向の外側に広がる。これによって、表側凸部２３Ｆが係止溝３６Ｓの溝側壁に当接して、該表側凸部２３Ｆが挿入口３Ｐ側へ移動し難くなる。また裏側凸部２３Ｂが係止縁３２Ｓの底縁に当接して、該裏側凸部２３Ｂが挿入口３Ｐ側へ移動し難くなる。そして雌部材３に雄部材２が連結される。
【００４０】
次に、アーム孔２４の内周面と括れ部３１Ｃとの関係について、図１、図２、及び図７（ａ）（ｂ）を参照して説明する。
一対のアーム２２の各々に形成されたアーム孔２４は、雄部材２と雌部材３とが連結した状態で、アーム孔２４の内周面と括れ部３１Ｃの外側面とが繋がるように形成されている。このアーム孔２４の内周面は、雄部材２と雌部材３とが連結された状態で、上記平面視において、上記括れ部３１Ｃの形状に倣う形状を有した第一内周面２４ａを同括れ部３１Ｃ寄りに有している。またアーム孔２４の内周面は、雄部材２と雌部材３とが連結された状態で、上記平面視において、雌部材３の外側に露出した膨頭部２２Ｈの外側面の形状
に倣う形状を有した第二内周面２４ｂを同外側面寄りに有している。
【００４１】
このような構成からなるバックル１によれば、雄部材２と雌部材３とが連結する状態で、雌部材３に形成された開口部ＳＨが膨頭部２２Ｈによって塞がれるとともに、アーム孔２４における第一内周面２４ａが膨頭部２２Ｈの外側面に繋がるようになる。それゆえに、雄部材２と雌部材３とが連結された状態では、雌部材３の内部に開口部ＳＨから異物が入り込むことを抑えることが可能である。さらにアーム孔２４の一部があたかも雌部材３の一部であるかのような外観を形成することが可能であるため、雄部材２と雌部材３との機能的な一体感に基づく美観が醸成される。
【００４２】
また、上記平面視において括れ部３１Ｃの外側面の形状に倣う形状に形成された第一内周面２４ａをアーム孔２４が有するため、雌部材３に対して如何なる方向に雄部材２がずれるとしても、アーム孔２４が雌部材３の内部に向けて位置ずれする度合いは、概ね雄部材２が位置ずれする度合いと同程度のものとなる。このような雄部材２の位置ずれ量とは、通常、所定の範囲に抑えられることから、アーム孔２４の位置ずれ量も、自ずと所定の範囲に抑えられることとなる。
【００４３】
ここで、アーム孔２４の内周面が括れ部３１Ｃの外側面に倣わない形状に形成されると、該アーム孔２４の内周面と雌部材３の内部との距離が該内周面の各部位で互いに異なることになる。その結果、アーム孔２４の内周面と雌部材３の内部との距離が相対的に短い方向へ雄部材２が位置ずれすると、アーム孔２４を介して雌部材３の内部と外部とが連通することとなる。一方、上述したようにアーム孔２４の第一内周面２４ａが括れ部３１Ｃの外側面に倣う形状に形成されるとなれば、該アーム孔２４の第一内周面２４ａと雌部材３の内部との距離が該第一内周面２４ａの各部位で等しくなる。その結果、雄部材２が位置ずれする方向に関わらず、雌部材３の内部に異物が入り込むことを抑えることが可能となる。
【００４４】
またアーム孔２４の内周面が括れ部３１Ｃの形状に倣う形状のみからなる構成と比較して、第二内周面２４ｂが形成される分だけ、アーム孔２４のサイズを大きく形成することが可能となる。そのため、バックル１の軽量化を図ること、加えてバックル１の製造に使用する材料の量が削減することが可能であるため、コストダウンを図ることが可能ともなる。
【００４５】
次に、雄部材２と雌部材３との連結を解除する際の押圧部分２２Ｓと開放側連結壁ＷＤとの関係について、図１、図２、及び図７（ａ）（ｂ）を参照して説明する。
一対のアーム２２が有する膨頭部２２Ｈの各々は、該膨頭部２２Ｈが有する押圧部分２２Ｓが括れ部３１Ｃにおいて挿入口３Ｐよりも開放口３Ｄ寄りとなるように形成されている。また一対のアーム２２が有する膨頭部２２Ｈは、上記平面視において、押圧部分２２Ｓよりも挿入方向、すなわち開放口３Ｄに向かって、左右方向における突出量が急激に少なくなる形状に形成されている。
【００４６】
上記構成からなるバックル１においては、括れ部３１Ｃにおける先端寄りに配置された押圧部分２２Ｓが内側へ押圧されることによって、係止縁３２Ｓ及び係止溝３６Ｓと被係止部２３との係合が解除される。この際、括れ部３１Ｃにおける先端寄りに押圧部分２２Ｓが配置されているため、バックルを利用する利用者の指も自ずと括れ部３１Ｃにおける先端寄り、ひいては開放側連結壁ＷＤに誘導されやすくなる。そして、このような部位に配置された押圧部分２２Ｓが押圧されることになれば、膨頭部を雌部材の内部に押圧する力だけでなく、アーム２２そのものを挿入口３Ｐから押し出す方向への力が雄部材２に加えられることとなる。そのため、雌部材３と雄部材２との連結を解除する際の操作性をさらに向上させることが可能となる。
【００４７】
以上説明したように、本実施の形態に係るバックルによれば、以下列記するような効果が得られるようになる。
（１）被係止部２３と係止縁３２Ｓ及び係止溝３６Ｓとが係合する状態で、雌部材３に形成された開口部ＳＨがアーム２２の膨頭部２２Ｈによって塞がれる。加えて、該膨頭部２２Ｈに形成されたアーム孔２４における第一内周面２４ａが上記平面視にて筒側面に倣う形状に形成されている。それゆえに、雄部材２と雌部材３とが連結された状態では、雌部材３の内部に開口部ＳＨから異物が入り込むことを膨頭部２２Ｈによって抑えることが可能である。さらにアーム孔２４の一部があたかも雌部材３の一部であるかのような外観を形成することが可能である。
【００４８】
（２）雌部材３における括れ部３１Ｃに開口部ＳＨが形成される。それゆえに、雌部材３の外側に張り出すような側面に開口部ＳＨが形成される構成と比較して、開口部ＳＨを通して異物が入り込むことそれ自体を抑えることが可能である。そのうえ、雄部材２と雌部材３とが連結した状態では、上記平面視において、括れ部３１Ｃが膨頭部２２Ｈによって覆われることになるため、バックル１の機能的な一体感に基づく美観をさらに醸成することが可能となる。
【００４９】
（３）一対のアーム２２が含まれる平面に対して開口部ＳＨ及び膨頭部２２Ｈが面対称である。それゆえに、雄部材２における右側と左側とを反転させた状態で該雄部材２と雌部材３と連結させることが可能である。このため、バックル１の機能的な一体感に基づく美観を醸成すること、バックル１の側面、すなわち開口部ＳＨからの異物侵入を回避させること、それらに加えて雄部材２と雌部材３との連結の態様を多様化することが可能となる。
【００５０】
（４）開口部ＳＨを通して雌部材３の外側に露出した膨頭部２２Ｈのうち、前記平面視において最も外側に突出する押圧部分２２Ｓが、括れ部３１Ｃにおける先端寄りに形成されている。それゆえに、雄部材２と雌部材３との連結を解除する際、バックル１を利用する利用者の指も自ずと括れ部３１Ｃにおける先端寄り、すなわち開放側連結壁ＷＤと接触するように誘導されることとなる。そして、このような部位に形成された押圧部分２２Ｓを押圧することになれば、膨頭部２２Ｈを内側に押圧する力だけでなく、アーム２２そのものを雌部材３から押し出す方向の力が雄部材２に加えられることとなる。そのため、雄部材２を雌部材３から離脱させる時の操作性をさらに向上させることが可能となる。
【００５１】
（５）アーム孔２４の内周面が、平面視において、雌部材３の形状に倣う第一内周面２４ａと、膨頭部２２Ｈの外側面に倣う第二内周面２４ｂとを有する。これにより、膨頭部２２Ｈの剛性を保つことができ、且つ第二内周面２４ｂが形成される分だけ、アーム孔２４のサイズを大きくすることが可能となる。そのため、バックル１の軽量化を図ることが可能である。加えて、バックル１の製造に使用する材料の量が削減されるため、コストダウンを図ることも可能である。
【００５２】
（６）扁平筒状の雌部材３が挿入口３Ｐと対向した開放口３Ｄとを有する。そして雌部材３を構成する表壁３１が、該表壁３１に対向した平面視において開放口３Ｄからアーム２２が露出しない形状に形成されている。一方、同雌部材３を構成する裏壁３２が、該裏壁３２に対向した平面視において開放口３Ｄからアーム２２が露出する形状に形成されている。それゆえに、雄部材２と雌部材３とが連結された状態では、開口部ＳＨが膨頭部２２Ｈによって塞がれているため、挿入口３Ｐと開放口３Ｄとを挿入方向に連通する通路のみがバックル１に形成されることとなる。このような構成であれば、開口部ＳＨから異物が入り込み難いことは当然のこと、挿入口３Ｐから入り込んだ異物はその進入方向に従って開放口３Ｄから排出されやすくなる。
【００５３】
なお、上記実施の形態は、以下のような態様をもって実施することもできる。
・アーム孔の内周面が、平面視にて括れ部３１Ｃの形状に倣う第一内周面２４ａと、平面視にて膨頭部２２Ｈの外側面の形状に倣う第二内周面２４ｂとから構成されている。これを変更して、第二内周面２４ｂが平面視において膨頭部２２Ｈの外側面の形状とは異なる形状に形成されてもよく、アーム孔２４の内周面が少なくとも第一内周面２４ａを有する構成であればよい。例えば第二内周面２４ｂは、平面視において方形であっても半楕円形であってもよい。要は、アーム孔２４の内周面が筒側面に倣うかたちでありさえすれば、上記（１）〜（４）に準じた効果を得ることは可能である。
【００５４】
・雌部材３の外側に露出した膨頭部２２Ｈのうち平面視において最も外側に突出する押圧部分２２Ｓが括れ部３１Ｃにおける先端寄りに形成されている。これを変更して、押圧部分２２Ｓが括れ部３１Ｃにおける基端寄りに形成されてもよく、あるいは平面視において膨頭部２２Ｈの外側面が挿入方向に沿った形状、すなわち押圧部分２２Ｓが割愛された構成であってもよい。このような構成であっても、上記（１）〜（３）と同様な効果を得ることが可能である。
【００５５】
・一対のアームが含まれる平面に対して開口部ＳＨと膨頭部２２Ｈとが面対称に形成されている。これを変更して、一対のアームが含まれる平面に対して開口部ＳＨと膨頭部２２Ｈとが非対称に形成されてもよい。このような構成であっても、上記（１）、（２）に準じた効果を得ることが可能である。要は、雄部材２と雌部材３とが連結する状態で、開口部ＳＨに嵌挿された膨頭部２２Ｈが開口部ＳＨを塞ぎ、且つ雌部材３の外側でアーム孔２４の内周面と筒側面とが繋がるように一対のアーム２２が形成され、アーム孔２４の内周面が平面視にて筒側面の形状に倣う形状であればよい。
【００５６】
・雌部材３が括れ部３１Ｃを有するとともに、括れ部３１Ｃを含むように開口部ＳＨが形成され、且つ平面視において膨頭部２２Ｈが括れ部３１Ｃを覆う形状に形成されている。これを変更して、雌部材３が例えば矩形筒状に形成され、上述した括れ部３１Ｃが雌部材３から割愛される構成であってもよい。このような構成であっても、上記（１）に準じた効果を得ることが可能である。
【００５７】
・開口部ＳＨの挿入口３Ｐ寄りの外縁において、アーム２２の左側及び右側における外側面が係止されるようにしてもよい。要は、雌部材に雄部材が挿入され且つ連結されるバックルであって、雄部材に設けられた一対のアームの基端部分及び先端部分が雌部材に包含されるバックルであればよい。
【００５８】
・雌部材３における開放口３Ｄが割愛される構成であってもよく、このような構成であっても、上記（１）〜（５）に準じた効果を得ることは可能である。
・雄部材２にブリッジ２５が配設されるようにしたがこれに限らず、ブリッジ２５が割愛される構成であってもよい。例えば一対のアーム２２の間に、基部２１からアーム２２の挿入方向に向けて突出するとともに、アーム２２を雌部材３に挿入する際に雄部材２を案内する機能を備えたいわゆるセンターバーを設けるようにしてもよい。このようにしても、アーム２２の間隔を広げようとする外力がアーム２２に作用し難くすることができる。この場合、雌部材３の内部には、仕切板３８の代わりに上記センターバーを案内するセンターバー案内部を仕切板３８が設けられていた位置に配設することが必要となる。
【００５９】
・基端位置決めリブ２７又は先端位置決めリブ２８が割愛される構成であっても、上述した（１）〜（６）に準じた効果を得ることは可能である。ちなみに、雌部材３の内側面に凸リブが形成され、雌部材３に雄部材２が連結された状態で一対のアームが該凸リブに押される構成であれば、基端位置決めリブ２７及び先端位置決めリブ２８が割愛される構
成であっても、雄部材２のがたつきを軽減させることができる。
【００６０】
・仕切板３８を設ける構成としたが、これに限られず、仕切板３８が割愛される構成であってもよい。
・ベルト取り付け部３９には、３個の有底穴が設けられているとしたがこれに限らず、有底穴を何個でも設けてもよいし、あるいは有底穴を設けないようにしてもよい。
【００６１】
・バックル１により締結されるベルトがその長さを変更可能に保持されるベルト保持部２６を雌部材３に形成し、該ベルトの長さを変更不可能に取り付けられるベルト取り付け部３９を雄部材２に形成するようにしてもよい。このようにしても、バックル１の締結時におけるベルトの長さを変更することができる。
【符号の説明】
【００６２】
Ｃ…円弧、１…バックル、２…雄部材、３…雌部材、２１…基部、２２…アーム、２２Ｈ…膨頭部、２２Ｓ…押圧部分、２３…被係止部、２３Ｆ…表側凸部、２３Ｂ…裏側凸部、２４…アーム孔、２４ａ…第一内周面、２４ｂ…第二内周面、２５…ブリッジ、２５ａ…端部、２５ｂ…中間部、２６…ベルト保持部、２７…基端位置決めリブ、２８…先端位置決めリブ、３１…表壁、３１ｐ…表側挿入縁、３１ｄ…表側開口縁、３１Ｃ…括れ部、３２…裏壁、３２ｐ…裏側挿入縁、３２ｄ…裏側開口縁、３２Ｓ…係止縁、３Ｐ…挿入口、３Ｄ…開放口、ＷＰ…挿入側連結壁、ＷＤ…開放側連結壁、ＷＰａ…ガイド面、ＳＨ…開口部、３６…表側案内溝、３６ａ…表側挿入溝、３６Ｓ…係止溝、３７…裏側案内溝、３８…仕切板、３９…ベルト取り付け部。
【図１】
2011254927.tif 000003
【図２】
2011254927.tif 000004
【図３】
2011254927.tif 000005
【図４】
2011254927.tif 000006
【図５】
2011254927.tif 000007
【図６】
2011254927.tif 000008
【図７】
2011254927.tif 000009